(57)【特許請求の範囲】
【請求項１】
化粧料を収納する容器本体(1)と、該容器本体(1)の口部(2)を閉蓋するキャップ(3)と、前記容器本体(1)内の化粧料を適量取り出して塗布するためのアプリケータ(5)とを有し、
該アプリケータ(5)を、キャップ(3)への取付け部である基部(6)から軸体(10)を垂下設して該軸体(10)の先端に塗布部(8)を付設した形状とし、
また該アプリケータ(5)を、軸体(10)の途中で上下に分け、異種合成樹脂製の上部材(5a)と下部材(5b)の少なくとも２部材から形成し、
下部材(5b)を熱可塑性エラストマー製とし、
上部材(5a)の軸体(10a)下端部を縮径した縮径部(12)とし、該縮径部(12)に横方向に貫通する貫通孔(11a)及び凹部(13a)を形成し、
前記上部材(5a)をインサート材として下部材(5b)を射出成形するインサート成形により上部材(5a)の軸体(10a)の下端部と下部材(5b)の軸体(10b)の上端部を嵌合し、
前記貫通孔(11a)を貫通して形成されるピン体(11b)と、凹部(13a)へのアンダーカット状の組付きにより前記下部材(5b)を上部材(5a)に空回り不能に、抜け出し不能に連結し、また前記軸体(10)の全高さ範囲に亘って同一の外径とする構成とした化粧品容器。
【発明の詳細な説明】
【技術分野】
【０００１】
本発明は、容器本体内の化粧料を適量取り出して塗布するためのアプリケータを有する化粧品容器に関する。
【背景技術】
【０００２】
一般に、マスカラ、アイライナー、マニキュア等の化粧料を塗布するためのアプリケータは、たとえば特許文献１にも示されているように、基本的には軸体の下端先端に化粧料を付着保持しながら所定の部位に均一に塗布する機能を発揮させるための、たとえばブラシ状、ペン状、ヘラ状、スポンジ状等の塗布部を有する形状であり、軸体の上端部を容器本体の口部を閉蓋するキャップに取り付けられ、不使用のとき（キャップで口部を閉蓋しているとき）は、先端の塗布部が容器内の化粧料に浸された状態であり、使用のときに開蓋し、キャップを持ってアプリケータを容器内から引き抜いて使用するように構成されている。
【特許文献１】特開２００３−６１７４０号公報
【発明の開示】
【発明が解決しようとする課題】
【０００３】
近年に至り、化粧料の使用態様に応じてアプリケータについては様々な機能が要求されるようになってきており、たとえばマスカラ用のものでは塗布部であるブラシの毛材、櫛歯片等の形状および柔軟性、または軸体の剛性を使用態様に応じて様々に組み合わせたアプリケータが要請されるようになってきている。
【０００４】
上記の要請に応える方法としてはアプリケータの上部と下部を異種の合成樹脂で形成することが考えられるが、アプリケータの使用中における操作は繊細な動きを必要としており、上部と下部の接合はがたつき等がなく、上下が機械的に一体化されていることが不可欠である。また化粧品に係る製品でもあるので外観的にも接合状態が目立たないような状態であることが必要である。
【０００５】
しかしながら、上部と下部が異種材料であるので接着あるいは熱融着等による強固な接合は困難であり、また通常は軸体の径が数ミリ程度であるので螺合等により機械的に強固に接合することも困難であるという問題がある。
【０００６】
そこで本発明は、上記した従来技術における問題点を解消すべく創案されたもので、異種の合成樹脂で形成される上部材と下部材からなるアプリケータに関し、高い生産性を維持しながら、軸体部分で上部材と下部材を強固に接合して機械的にも外観的にも上下を一体化することを課題とし、もって使用目的に応じた機能を有するアプリケータを備えた化粧品容器を提供することを目的とする。
【課題を解決するための手段】
【０００７】
上記技術的課題を解決する本発明の手段は、
化粧料を収納する容器本体と、この容器本体の口部を閉蓋するキャップと、容器本体内の化粧料を適量取り出して塗布するためのアプリケータとを有すること、
アプリケータを、キャップへの取付け部である基部から軸体を垂下設してこの軸体の先端に塗布部を付設した形状とすること、
アプリケータを、軸体の途中で上下に分け、異種合成樹脂製の上部材と下部材の少なくとも２部材から構成すること、
下部材を熱可塑性エラストマー製とすること、
上部材の軸体下端部を縮径した縮径部とし、この縮径部に横方向に貫通する貫通孔及び凹部を形成し、
この上部材をインサート材として下部材を射出成形するインサート成形により上部材下端部と下部材上端部を嵌合し、
貫通孔を貫通して形成されるピン体と、凹部へのアンダーカット状の組付きにより下部材を上部材に空回り不能に、抜け出し不能に連結し、また軸体の全高さ範囲に亘って同一の外径とする構成とすること、
にある。
【０００８】
本発明の上記構成により、上部材の軸体下端部に横方向に貫通する貫通孔を形成し、この上部材をインサート材として下部材を射出成形するインサート成形とすることにより、下部材の射出成形の際に溶融樹脂が貫通孔を貫通流動した状態で冷却固化されて、下部材が成形され、インサート材である上部材と共にアプリケータが形成される。上部材をインサート材として下部材を射出成形するので、上部材の軸体下端部と下部材の軸体上端部を隙間のない、すなわちがたつきのない嵌合状態とすることができると共に、貫通孔中で固化した樹脂がピン機能を果たし、上部材の軸体下端部と下部材の軸体上端部相互の空回りや、抜けのない強固な嵌合状態とすることができる。
【０００９】
そして上記のように異種材料から形成される上部材と下部材をがたつきのない状態で強固に接合することができる。
【００１０】
また、一方の部材をインサート材とした射出成形であるので、高い生産性を維持しながら精度高く確実に両部材を嵌合して接合することができる。
【００１１】
なお、貫通孔の径、形成位置（高さ位置）、断面形状等は射出成形性、接合強度等を考慮して適宜設定することができ、また貫通孔の形成数も１つに限定されるものでなく、複数形成することもできる。
【００１２】
また、上部材の軸体下端部を縮径した縮径部とし、この縮径部に横方向に貫通する貫通孔を形成して、この上部材をインサート材として下部材を射出成形することにより、嵌合部において上下部材の軸体の径を同一とすることができ、嵌合部近傍において軸体の外表面に段差等の凹凸をなくすことができ、外観を損ねることなくアプリケータを形成することができる。
【００１３】
また、上部材に貫通孔と共にたとえば周溝等の凹部を形成することにより、射出成形時に下部材用の溶融樹脂がこの凹部にも流れ込み、固化した状態で強硬なアンダーカット部が形成され、よりがたつきのない、強固な嵌合状態とすることができる。
【００１４】
なおまた、凹部の形状、形成数等は射出成形性、接合強度等を考慮して適宜設定することができる。
【発明の効果】
【００１５】
本発明にあっては、上部材をインサート材として下部材を射出成形するので、上部材の軸体下端部と下部材の軸体上端部を隙間のない、すなわちがたつきのない嵌合状態とすることができると共に、貫通孔中で固化した樹脂がピン機能を果たし、両部材相互の空回りや、抜けのない強固な嵌合状態とすることができ、上下の部材を機械的に一体化した状態とすることができる。
【００１６】
上部材と下部材をがたつきのない状態で強固に接合することができる。
【００１７】
また、上部材をインサート材とした射出成形であるので、高い生産性を維持しながら精度高く確実に両部材を嵌合して接合することができる。
【００１８】
また、嵌合部において上下部材の軸体の径を同一として、嵌合部において軸体の外表面に段差等の凹凸をなくすことができ、外観を損ねることなくアプリケータを形成することができる。
【００１９】
また、射出成形時に下部材用の溶融樹脂がこの凹部に流れ込み、固化した状態で強硬なアンダーカット部が形成され、よりがたつきのない、強固な嵌合状態とすることができる。
【発明を実施するための最良の形態】
【００２０】
以下、本発明の実施の形態を、図面を参照しながら説明する。
図１〜図４は本発明の化粧品容器の一実施例であるマスカラ容器を示すものであり、図１はマスカラ容器の全体を一部縦断して示した正面図である。図１に示すように、本実施例の容器は、口部２を有するとともに、内部にマスカラを収納する有底円筒状の容器本体１と、螺合組み付きして口部２を閉蓋するキャップ３と、このキャップ３に組み付き、先端のブラシ状の塗布部８を容器本体１内に収納するアプリケータ５と、口部２の内側に配置され、キャップ３と共にアプリケータ５を引き抜くときに塗布部８に付着した余分なマスカラを除去するためのしごき部材１５の４つの部材から構成される。
【００２１】
図２は本実施例に使用されるアプリケータ５の全体を示すものであり、キャップ３に嵌合する基部６から垂下設される軸体１０を有し、軸体１０の先端にはブラシ状の塗布部８が形成されている。
【００２２】
またこのアプリケータ５は、それぞれ異種の合成樹脂から成る上部材５ａと下部材５ｂとを後述するインサート成形で軸体１０の部分の嵌合部７で接合して得られたものである（図２、図３（ａ）、（ｂ）参照）。本実施例では基部６および軸体１０の大部分を含む上部材５ａを剛性の高いポリオキシメチレン樹脂（ポリプラスチック社製ジュラコン）製、そして塗布部８と軸体１０の下端部を含む下部材５ｂを熱可塑性ポリエステルエラストマー樹脂（東洋紡社製ペルプレン）製として、高剛性の軸体の先端に柔軟性の高い塗布部８を形成した構成としている。
【００２３】
なお上下の部材に使用する合成樹脂は本実施例に限定されるものでなく、使用目的に応じて様々な組み合わせの中から決めて使用することができる。
【００２４】
本実施例のアプリケータ５は、予め射出成形した上部材５ａをインサート材として、下部材５ｂを射出成形することにより製造する。上部材５ａの軸体１０ａの下端部の先端には縮径した円柱状の縮径部１２が形成されている。また、この縮径部１２には横方向に貫通する断面が円形の貫通孔１１ａが形成され、またこの貫通孔１１ａの形成位置の上には周溝状の凹部１３ａが形成されている。（図４（ａ）、（ｂ）参照）
【００２５】
上記のような上部材５ａをインサート材として、縮径部１２がインサート部となるようにして下部材５ｂを射出成形することにより、下部材５ｂ用の合成樹脂（本実施例では熱可塑性ポリエステルエラストマー樹脂）が溶融状態で上部材５ａの縮径部１２の周縁部を覆うと共に、周溝状の凹部１３ａおよび貫通孔１１ａにも流れ込んで、冷却固化した状態では上部材５ａの軸体１０ａ下端部と下部材５ｂの軸体１０ｂ上端部の嵌合部７を図３（ａ）、（ｂ）に示したような状態とすることができる。
【００２６】
すなわち、まず嵌合部７において上部材５ａの軸体１０ａ下端部と下部材５ｂの軸体１０ｂ上端部とを隙間なく密着した状態で嵌合することができ、接合によるがたつき等の発生をなくすことができる。また貫通孔１１ａを貫通して下部材５ｂ用の合成樹脂製のピン体１１ｂが形成される共に、周溝状の凹部１３ａに周条１３ｂがアンダーカット状に組み付いた状態となり、軸体１０ａ、１０ｂ同士の空回り、抜け等の発生を確実に防止することができ、上下部材５ａ、５ｂを異種材料で形成しながら機械的には一体成形品としての機能が発揮される。
【００２７】
またインサート成形において、嵌合部７近傍における両軸体１０ａ、１０ｂの外径が同じになるように金型キャビティを設定しておけば嵌合部７の外表面に段差等の凹凸をなくして、外観上も一体成形品状とすることができ、外観を損ねることもない。
【００２８】
また、本発明の特にアプリケータに係る作用効果は、本実施例に限定されるものではなく、他にもたとえばアイライナー、マニキュア等の塗布のためのアプリケータを有する化粧品容器において一般的に発揮されるものであり、また塗布部についてもブラシ状の他にもたとえばペン状、ヘラ状、スポンジ状等ものを使用することができる。
【産業上の利用可能性】
【００２９】
本発明の化粧品容器のアプリケータは機械的にも外観上も一体性を保持しながら、目的に応じて上下に異種の合成樹脂材料を使用することができ、マスカラ、アイライナー、マニキュア等の化粧品容器としてさらなる利用の拡大が期待される。
【図面の簡単な説明】
【００３０】
【図１】本願発明の化粧品容器の一実施例を一部縦断して示す正面図である。
【図２】図１中のアプリケータを示す正面図である。
【図３】図２中のアプリケータの嵌合部近傍を要部拡大して示す（ａ）半縦断正面図および（ｂ）半縦断正面図である。
【図４】図２中のアプリケータの上部材を示す（ａ）半縦断正面図および（ｂ）半縦断正面図である。
【符号の説明】
【００３１】
１  ；容器本体
２  ；口部
３  ；キャップ
５  ；アプリケータ
５ａ；上部材
５ｂ；下部材
６  ；基部
７  ；嵌合部
８  ；塗布部
１０；軸体
１０ａ，１０ｂ；軸体
１１ａ；貫通孔
１１ｂ；ピン体
１２；縮径部
１３ａ；凹部
１３ｂ；周条
１５；しごき部材
【図１】
0004993239.tif 000002
【図２】
0004993239.tif 000003
【図３】
0004993239.tif 000004
【図４】
0004993239.tif 000005